(57)【要約】【課題】原稿媒体から読み取られた画像の画質を高めることができる画像処理装置を得る。【解決手段】本発明の画像処理装置は、画像を読み取る読取面から原稿媒体が外れた状態で読取動作を行うことにより第１の画像データを生成するとともに、読取面に原稿媒体がセットされた状態で読取動作を行うことにより第２の画像データを生成する画像読取部と、第１の画像データにおける第１の画素での第１の画素値、および第２の画像データにおける第１の画素での第２の画素値に基づいて、第２の画素値を更新する画像処理部とを備える。【選択図】図７
2019080284.tif 000002
【特許請求の範囲】
【請求項１】
画像を読み取る読取面から原稿媒体が外れた状態で読取動作を行うことにより第１の画像データを生成するとともに、前記読取面に前記原稿媒体がセットされた状態で前記読取動作を行うことにより第２の画像データを生成する画像読取部と、
前記第１の画像データにおける第１の画素での第１の画素値、および前記第２の画像データにおける前記第１の画素での第２の画素値に基づいて、前記第２の画素値を更新する画像処理部と
を備えた画像処理装置。
【請求項２】
前記画像処理部は、前記第１の画素値が所定の条件を満たしたときに、前記第２の画素値を更新する
請求項１に記載の画像処理装置。
【請求項３】
前記所定の条件は、前記第１の画素値が示す黒色度合いが、所定の黒色度合いよりも高いことである
請求項２に記載の画像処理装置。
【請求項４】
前記第１の画素値は、赤色画素値、緑色画素値、および青色画素値を含み、
前記所定の条件は、前記赤色画素値が所定の赤色しきい値よりも低く、前記緑色画素値が所定の緑色しきい値よりも低く、かつ前記青色画素値が所定の青色しきい値よりも低いことである
請求項２または請求項３に記載の画像処理装置。
【請求項５】
前記第１の画素値は、所定数のビットにより表される第１のデジタルコードを含み、
前記第２の画素値は、前記所定数と同じ数のビットにより表される第２のデジタルコードを含み、
前記画像処理部は、前記第１のデジタルコードの第１のビットでの第１の論理値、および前記第２のデジタルコードの前記第１のビットでの第２の論理値の否定排他的論理和を求め、求めた論理値を更新後の前記第２のデジタルコードの前記第１のビットでの論理値とすることにより、前記第２の画素値を更新する
請求項１から請求項４のいずれか一項に記載の画像処理装置。
【請求項６】
前記画像処理部は、前記第１のデジタルコードの第２のビットでの第３の論理値、および前記第２のデジタルコードの前記第２のビットでの第４の論理値の否定排他的論理和を求め、求めた論理値を更新後の前記第２のデジタルコードの前記第２のビットでの論理値とすることにより、前記第２の画素値を更新する
請求項５に記載の画像処理装置。
【請求項７】
前記第１の画素値は、所定数のビットにより表される第１のデジタルコードを含み、
前記第２の画素値は、前記所定数のビットにより表される第２のデジタルコードを含み、
前記画像処理部は、前記第１のデジタルコードの前記所定数のビットでの各論理値、および前記第２のデジタルコードの前記所定数のビットでの各論理値に基づいて、互いに対応するビットでの論理値の否定排他的論理和をそれぞれ求め、求めた論理値を更新後の第２のデジタルコードにおける対応するビットでの論理値とすることにより、前記第２の画素値を更新する
請求項１から請求項４のいずれか一項に記載の画像処理装置。
【請求項８】
前記画像処理部は、前記第１の画像データにおける第２の画素での第３の画素値、および前記第２の画像データにおける前記第２の画素での第４の画素値に基づいて、前記第４の画素値を更新する
請求項１から請求項７のいずれか一項に記載の画像処理装置。
【請求項９】
前記第１の画像データを記憶する記憶部をさらに備え、
前記画像処理部は、前記記憶部に記憶された前記第１の画像データにおける前記第１の画素での前記第１の画素値に基づいて、前記第２の画素値を更新する
請求項１から請求項８のいずれか一項に記載の画像処理装置。
【請求項１０】
前記画像処理部により処理された前記第２の画像データに基づいて、記録媒体に画像を形成する画像形成部をさらに備えた
請求項１から請求項９のいずれか一項に記載の画像処理装置。
【請求項１１】
前記画像処理部により処理された前記第２の画像データに基づいて、電子ファイルを生成する生成部をさらに備えた
請求項１から請求項９のいずれか一項に記載の画像処理装置。
【発明の詳細な説明】
【技術分野】
【０００１】
本発明は、画像を処理する画像処理装置に関する。
【背景技術】
【０００２】
画像読取装置では、原稿媒体に光が照射されるとともに、その原稿媒体により反射された反射光が検出されることにより、その原稿媒体に形成された画像が読み取られる（例えば特許文献１など）。
【先行技術文献】
【特許文献】
【０００３】
【特許文献１】特開２００１−２８５５８６号公報
【発明の概要】
【発明が解決しようとする課題】
【０００４】
このような画像読取装置では、読み取られた画像の画質が高いことが望まれており、さらなる画質の向上が期待されている。
【０００５】
原稿媒体から読み取られた画像の画質を高めることができる画像処理装置を提供することが望ましい。
【課題を解決するための手段】
【０００６】
本発明の一実施の形態における画像処理装置は、画像読取部と、画像処理部とを備えている。画像読取部は、画像を読み取る読取面から原稿媒体が外れた状態で読取動作を行うことにより第１の画像データを生成するとともに、読取面に原稿媒体がセットされた状態で読取動作を行うことにより第２の画像データを生成するものである。画像処理部は、第１の画像データにおける第１の画素での第１の画素値、および第２の画像データにおける第１の画素での第２の画素値に基づいて、第２の画素値を更新するものである。
【発明の効果】
【０００７】
本発明の一実施の形態における画像処理装置によれば、第１の画像データにおける第１の画素での第１の画素値、および第２の画像データにおける第１の画素での第２の画素値に基づいて、第２の画素値を更新するようにしたので、原稿媒体から読み取られた画像の画質を高めることができる。
【図面の簡単な説明】
【０００８】
【図１】一実施の形態に係る画像処理装置の一構成例を表すブロック図である。
【図２】図１に示した画像読取部の一構成例を表す構成図である。
【図３】図１に示した画像読取部の一構成例を表す他の構成図である。
【図４】図１に示した操作パネルの一例を表す説明図である。
【図５Ａ】ＩＤカードコピー機能の一動作例を表す説明図である。
【図５Ｂ】ＩＤカードコピー機能の一動作例を表す他の説明図である。
【図６Ａ】図１に示した画像処理装置の一動作例を表すシーケンス図である。
【図６Ｂ】図１に示した画像処理装置の一動作例を表す他のシーケンス図である。
【図７】図６Ａに示したごみ除去処理の一例を表すフローチャートである。
【図８】図１に示した画像処理部における処理の一例を表す説明図である。
【図９】図１に示した画像処理部における処理の一例を表す他の説明図である。
【図１０Ａ】図１に示した画像処理装置の他の動作例を表すシーケンス図である。
【図１０Ｂ】図１に示した画像処理装置の他の動作例を表す他のシーケンス図である。
【図１０Ｃ】図１に示した画像処理装置の他の動作例を表す他のシーケンス図である。
【図１１】図１に示した画像処理装置の他の動作例を表すシーケンス図である。
【図１２】変形例に係るごみ除去処理の一例を表すフローチャートである。
【図１３】他の変形例に係る画像処理装置の一構成例を表すブロック図である。
【発明を実施するための形態】
【０００９】
以下、本発明の実施の形態について、図面を参照して詳細に説明する。
【００１０】
［構成例］
図１は、本発明の一実施の形態に係る画像処理装置（画像処理装置１）の一構成例を表すものである。画像処理装置１は、原稿媒体Ｒに形成された画像を読み取る機能、および、紙などの記録媒体Ｐに画像を形成する機能を有するものである。
【００１１】
画像処理装置１は、操作パネル１１と、パネル制御部１２と、状態管理部１３と、画像読取部１４と、読取制御部１５と、画像処理部１６と、記憶部１７と、画像形成部１８とを備えている。パネル制御部１２、状態管理部１３、読取制御部１５、および画像処理部１６は、例えば、プログラムを実行可能なプロセッサを用いて構成される。
【００１２】
操作パネル１１は、画像処理装置１の操作画面や、画像処理装置１の動作状態を示す画面などを表示するとともに、ユーザの操作を受け付けるものである。操作パネル１１は、例えば、液晶ディスプレイ、タッチパネル、各種ボタン、各種インジケータなどを用いて構成されるものである。
【００１３】
パネル制御部１２は、状態管理部１３からの指示に基づいて、操作パネル１１の動作を制御するものである。また、パネル制御部１２は、ユーザが操作パネル１１を操作することにより行った指示や入力した情報を、状態管理部１３に通知する機能をも有している。
【００１４】
状態管理部１３は、画像処理装置１の動作状態を管理することにより、画像処理装置１の全体動作を制御するものである。具体的には、状態管理部１３は、パネル制御部１２、読取制御部１５、画像処理部１６、および画像形成部１８と情報のやり取りを行うことにより、画像処理装置１の全体動作を制御するようになっている。
【００１５】
画像読取部１４は、読取制御部１５からの指示に基づいて、原稿媒体Ｒに形成された画像を読み取るものである。画像読取部１４は、ＡＤＦ（ＡＤＦ；Auto Document Feeder）部１４Ａと、スキャナ部１４Ｂとを有している。ＡＤＦ部１４Ａは、原稿媒体Ｒを１枚ずつ搬送してスキャナ部１４Ｂに導くものである。スキャナ部１４Ｂは、ＡＤＦ部１４Ａにより導かれた原稿媒体Ｒに形成された画像を読み取るものである。また、スキャナ部１４Ｂは、いわゆるフラットベッドスキャナとしても機能し、スキャナ部１４Ｂの読取面にセットされた原稿媒体Ｒに形成された画像を読み取ることができるようになっている。
【００１６】
図２は、画像読取部１４の一構成例を表すものである。図３は、図２におけるＩＩＩ−ＩＩＩ矢視方向の断面構成を表すものである。画像読取部１４のスキャナ部１４Ｂは、蓋部２１と、媒体押さえ部材２２と、コンタクトガラス２３と、ガイド部材２４，２５と、読取部２６とを有している。
【００１７】
蓋部２１は、画像読取部１４における読取面の蓋として機能するとともに、ＡＤＦ部１４Ａを支持するものである。
【００１８】
媒体押さえ部材２２は、スキャナ部１４Ｂがフラットベッドスキャナとして動作する場合において、コンタクトガラス２３上にセットされた原稿媒体Ｒをそのコンタクトガラス２３に押さえつける部材である。媒体押さえ部材２２の表面の色は、白色である。これにより、画像読取部１４では、例えば小さい原稿媒体Ｒがセットされた場合に、画像読取部１４により読み取られた画像における、その原稿媒体Ｒに対応する領域以外の領域での色が白色になるので、見栄えを良くすることができるようになっている。
【００１９】
コンタクトガラス２３は、スキャナ部１４Ｂがフラットベッドスキャナとして動作する場合において、いわゆる読取面として機能するものである。スキャナ部１４Ｂは、このコンタクトガラス２３を介して、コンタクトガラス２３上にセットされた原稿媒体Ｒに形成された画像を読み取るようになっている。
【００２０】
ガイド部材２４，２５は、ユーザが原稿媒体Ｒをコンタクトガラス２３上にセットする際に、原稿媒体Ｒの配置位置を規制するものである。ガイド部材２４は、図２におけるＸ方向での原稿媒体Ｒの配置位置を規制するものであり、ガイド部材２５は、図２におけるＹ方向での原稿媒体Ｒの配置位置を規制するものである。図２に示したように、例えば、ガイド部材２４，２５は、コンタクトガラス２３の端部に配置されている。ユーザは、原稿媒体Ｒをコンタクトガラス２３上にセットする際に、例えば、原稿媒体Ｒをコンタクトガラス２３上において滑らせ、原稿媒体Ｒの端部をガイド部材２４の縁２４Ａ（図３）に当接させる。ガイド部材２５についても同様である。このようにして、ガイド部材２４，２５は、コンタクトガラス２３上における原稿媒体Ｒの配置位置を規制するようになっている。
【００２１】
読取部２６は、原稿媒体Ｒに形成された画像を読み取るものであり、例えば、ＣＩＳ（Contact Image Sensor）ユニットを含んで構成されるものである。ＣＩＳユニットは、例えば、光源と、複数の受光素子と、ロッドレンズアレイとを含んでいる。この読取部２６は、図３におけるＸ方向に移動可能に構成されている。これにより、読取部２６は、スキャナ部１４Ｂがフラットベッドスキャナとして動作する場合において、コンタクトガラス２３に対応する領域内を徐々に移動しながら読取動作を行うようになっている。
【００２２】
この構成により、画像読取部１４は、読取動作を行い、読み取った画像を読取制御部１５に供給する。具体的には、画像読取部１４は、後述するように、原稿媒体Ｒをセットしていない場合において、例えば画像処理装置１の管理者からの指示に基づいて、コンタクトガラス２３の全領域において読取動作を行う。そして、画像読取部１４は、この読取動作により読み取った画像（メンテナンス画像Ｐ１）に基づいてメンテナンス画像データＤ１を生成し、このメンテナンス画像データＤ１を読取制御部１５に供給する。以下、原稿媒体Ｒをセットしていないで行う読取動作を、メンテナンススキャンとも呼ぶ。また、画像読取部１４は、原稿媒体Ｒをセットした場合において、例えば管理者以外のユーザからの指示に基づいて読取動作を行う。そして、画像読取部１４は、この読取動作により読み取った画像（原稿画像Ｐ２）に基づいて原稿画像データＤ２を生成し、この原稿画像データＤ２を読取制御部１５に供給する。この例では、メンテナンス画像データＤ１および原稿画像データＤ２は、それぞれ、赤色（Ｒ）の画素値、緑色（Ｇ）の画素値、および青色（Ｂ）の画素値を含む、いわゆるＲＧＢ画像データである。この例では、赤色の画素値、緑色の画素値、および青色の画素値は、それぞれ２５６階調（８ビット）で表されるものである。
【００２３】
読取制御部１５は、状態管理部１３からの指示に基づいて、画像読取部１４の動作を制御するものである。具体的には、読取制御部１５は、状態管理部１３からの読取開始指示に基づいて、ＡＤＦ部１４Ａに原稿媒体Ｒがセットされている場合には、セットされた原稿媒体Ｒがなくなるまで、原稿媒体Ｒを１枚ずつ搬送してスキャナ部１４Ｂに導くように、ＡＤＦ部１４Ａの動作を制御する。そして、読取制御部１５は、スキャナ部１４Ｂが、ＡＤＦ部１４Ａから搬送された原稿媒体Ｒに形成された画像を順次読み取るように、スキャナ部１４Ｂの動作を制御する。また、読取制御部１５は、コンタクトガラス２３上に原稿媒体Ｒがセットされている場合には、セットされた原稿媒体Ｒに形成された画像を読み取るように、スキャナ部１４Ｂの動作を制御する。また、読取制御部１５は、画像読取部１４から供給されたメンテナンス画像データＤ１および原稿画像データＤ２を、画像処理部１６に供給する機能をも有している。
【００２４】
画像処理部１６は、読取制御部１５から供給された原稿画像データＤ２、および記憶部１７に記憶されたメンテナンス画像データＤ１に基づいて、所定の画像処理を行うことにより印刷画像データＤＡＴＡを生成するものである。この印刷画像データＤＡＴＡは、シアン色（Ｃ）の画素値、マゼンタ色（Ｍ）の画素値、および黄色（Ｙ）の画素値を含む、いわゆるＣＭＹ画像データである。そして、画像処理部１６は、この印刷画像データＤＡＴＡを画像形成部１８に供給する。また、画像処理部１６は、読取制御部１５から供給されたメンテナンス画像データＤ１を、記憶部１７に供給する機能をも有している。
【００２５】
記憶部１７は、メンテナンス画像データＤ１を記憶するものである。記憶部１７は、この例では、不揮発性メモリを用いて構成される。
【００２６】
画像形成部１８は、画像処理部１６から供給された印刷画像データＤＡＴＡに基づいて、記録媒体Ｐに画像を形成するものである。具体的には、画像形成部１８は、シアン色の現像剤、マゼンタ色の現像剤、および黄色の現像剤を用いて、記録媒体Ｐに、印刷画像データＤＡＴＡが示す画像を形成するようになっている。
【００２７】
（ＩＤカードコピー機能について）
画像処理装置１は、コピー機能やスキャナ機能などの様々な機能を有している。コピー機能は、ＩＤ（Identification）カードコピー機能を含んでいる。ＩＤカードコピー機能は、ＩＤカードの表面Ｒ１の画像および裏面Ｒ２の画像をそれぞれ読み取り、これらの２つの画像を用いて、いわゆる２アップ印刷を行う機能である。このＩＤカードコピー機能は、ユーザが操作パネル１１を操作することにより選択され、実行される。
【００２８】
図４は、ユーザがＩＤカードコピー機能を選択したときの操作パネル１１の一例を表すものである。操作パネル１１は、テンキーボタン１１Ａと、スタートボタン１１Ｂと、表示操作部１１Ｃとを有している。テンキーボタン１１Ａは、例えば数字を入力するためのボタンである。スタートボタン１１Ｂは、処理の開始を指示するためのボタンである。表示操作部１１Ｃは、この例では、液晶ディスプレイおよびタッチパネルを用いて構成されており、この例では、ＩＤカードコピー機能の操作画面を表示している。この操作画面は、“オンオフ”ボタン１０１と、“ごみ除去”ボタン１０２と、“除去濃度”テキストボックス１０３とを含んでいる。
【００２９】
“オンオフ”ボタン１０１は、ユーザが操作することにより、ＩＤカードコピー機能をオンにし、あるいはオフにするためのものである。
【００３０】
“ごみ除去”ボタン１０２は、ユーザが操作することにより、ごみ除去機能をオンにし、あるいはオフにするためのものである。このごみ除去機能は、原稿画像データＤ２が示す原稿画像Ｐ２に含まれる、意図しない画像部分を目立たなくする機能である。具体的には、例えば、ＩＤカードは小さいので、原稿画像Ｐ２は、ガイド部材２４，２５と媒体押さえ部材２２との間の隙間Ｇ（図３）に対応する黒い帯状の画像部分を含むおそれがある。また、例えば、ＩＤカードは小さいので、原稿画像Ｐ２は、ＩＤカードに対応する画像以外の部分において、媒体押さえ部材２２のよごれに対応する画像部分を含むおそれがある。画像処理装置１は、このごみ除去機能をオンにすることにより、原稿画像データＤ２およびメンテナンス画像データＤ１に基づいて、これらの意図しない画像部分を目立たなくすることができる。すなわち、メンテナンススキャンにより生成されたメンテナンス画像Ｐ１は、隙間Ｇ（図３）に対応する黒い帯状の画像部分や、媒体押さえ部材２２のよごれに対応する画像部分を含むので、画像処理装置１は、原稿画像データＤ２およびメンテナンス画像データＤ１に基づいて、これらの意図しない画像部分を目立たなくするように画像処理を行うようになっている。
【００３１】
“除去濃度”テキストボックス１０３は、ごみ除去機能を使用する際の設定値である“除去濃度”を設定するためのものである。この例では、“除去濃度”テキストボックス１０３は、ごみ除去機能がオンに設定された場合に、設定値を入力できるようになっている。
【００３２】
ＩＤカードコピー機能を実行すると、画像読取部１４は、ＩＤカードの表面Ｒ１の画像および裏面Ｒ２の画像をそれぞれ読み取る。具体的には、ユーザは、図５Ａに示したように、ＩＤカード（原稿媒体Ｒ）の表面Ｒ１を下にして、ガイド部材２４，２５に当接するようにコンタクトガラス２３の左上にＩＤカードをセットする。そして、スキャナ部１４Ｂは、このコンタクトガラス２３のうちの左半分の領域Ｗにおいて読出動作を行うことにより、原稿画像Ｐ２（原稿画像Ｐ２１）についての情報を含む原稿画像データＤ２（原稿画像データＤ２１）を生成する。その後、ユーザは、同様に、ＩＤカード（原稿媒体Ｒ）の裏面Ｒ２を下にして、ガイド部材２４，２５に当接するようにコンタクトガラス２３の左上にＩＤカードをセットする。そして、スキャナ部１４Ｂは、このコンタクトガラス２３のうちの左半分の領域Ｗにおいて読出動作を行うことにより、原稿画像Ｐ２（原稿画像Ｐ２２）についての情報を含む原稿画像データＤ２（原稿画像データＤ２２）を生成する。なお、この例では、ＩＤカードの表面Ｒ１および裏面Ｒ２における背景色は、白以外の色である。
【００３３】
ごみ除去機能がオンである場合には、画像処理部１６は、後述するように、原稿画像データＤ２１およびメンテナンス画像データＤ１に基づいて、原稿画像Ｐ２１における意図しない画像部分を目立たなくする画像処理を行うことにより、この原稿画像データＤ２１を更新する。この原稿画像データＤ２１はＲＧＢ画像データであるので、画像処理部１６は、この原稿画像データＤ２１に基づいて、ＣＭＹ画像データ（画像データＤ３１）を生成する。同様に、画像処理部１６は、原稿画像データＤ２２およびメンテナンス画像データＤ１に基づいて、原稿画像Ｐ２２における意図しない画像部分を目立たなくする画像処理を行うことにより、この原稿画像データＤ２２を更新する。そして、画像処理部１６は、この原稿画像データＤ２２に基づいて、ＣＭＹ画像データ（画像データＤ３２）を生成する。そして、画像処理部１６は、これらの画像データＤ３１，Ｄ３２が示す画像を並べて配置することにより、２アップ印刷を行うための印刷画像データＤＡＴＡを生成する。そして、画像形成部１８は、この印刷画像データＤＡＴＡに基づいて、記録媒体Ｐに画像を形成する。このようにして、画像処理装置１は、図５Ｂに示したように、ＩＤカードの表面Ｒ１の画像および裏面Ｒ２の画像を、記録媒体Ｐに形成するようになっている。
【００３４】
ここで、画像読取部１４は、本発明における「画像読取部」の一具体例に対応する。画像処理部１６は、本発明における「画像処理部」の一具体例に対応する。画像形成部１８は、本発明における「画像形成部」の一具体例に対応する。メンテナンス画像データＤ１は、本発明における「第１の画像データ」の一具体例に対応する。原稿画像データＤ２は、本発明における「第２の画像データ」の一具体例に対応する。
【００３５】
［動作および作用］
続いて、本実施の形態の画像処理装置１の動作および作用について説明する。
【００３６】
（全体動作概要）
まず、図１を参照して、画像処理装置１の全体動作概要を説明する。操作パネル１１は、画像処理装置１の操作画面や、画像処理装置１の動作状態を示す画面などを表示するとともに、ユーザの操作を受け付ける。パネル制御部１２は、状態管理部１３からの指示に基づいて、操作パネル１１の動作を制御する。また、パネル制御部１２は、ユーザが操作パネル１１を操作することにより行った指示や入力した情報を、状態管理部１３に通知する。状態管理部１３は、画像処理装置１の動作状態を管理することにより、画像処理装置１の全体動作を制御する。画像読取部１４は、読取制御部１５からの指示に基づいて、原稿媒体Ｒに形成された画像を読み取る。読取制御部１５は、状態管理部１３からの指示に基づいて、画像読取部１４の動作を制御する。また、読取制御部１５は、画像読取部１４から供給されたメンテナンス画像データＤ１および原稿画像データＤ２を、画像処理部１６に供給する。画像処理部１６は、読取制御部１５から供給された原稿画像データＤ２、および記憶部１７に記憶されたメンテナンス画像データＤ１に基づいて、所定の画像処理を行うことにより印刷画像データＤＡＴＡを生成する。記憶部１７は、メンテナンス画像データＤ１を記憶する。画像形成部１８は、画像処理部１６から供給された印刷画像データＤＡＴＡに基づいて、記録媒体Ｐに画像を形成する。
【００３７】
（詳細動作）
次に、画像処理装置１がＩＤカードコピー機能を実行する場合の動作について、詳細に説明する。以下に、ＩＤカードの表面Ｒ１のみを印刷する場合（ケースＣ１）と、ＩＤカードの表面Ｒ１および裏面Ｒ２を印刷する場合（ケースＣ２）を例に挙げて、画像処理装置１の動作を説明する。
【００３８】
（ケースＣ１）
図６Ａ，６Ｂは、ＩＤカードの表面Ｒ１のみを印刷する場合（ケースＣ１）における、画像処理装置１の一動作例を表すものである。
【００３９】
表示操作部１１Ｃは、ＩＤカードコピー機能の操作画面を表示し、ユーザは、その操作画面を用いて、図４に示したように設定を行う。これにより、ＩＤカードコピー機能がオンに設定されるとともに、ごみ除去機能がオンに設定され、さらに除去濃度が“２２５”に設定される。そして、ユーザは、図５Ａに示したように、ＩＤカードの表面Ｒ１を下にして、コンタクトガラス２３の左上にＩＤカードをセットする。そして、ユーザは、スタートボタン１１Ｂを操作する。操作パネル１１は、このユーザの操作を受け付け、パネル制御部１２に対して、コピー動作の開始を指示する（ステップＳ１０１）。この指示に応じて、パネル制御部１２は、状態管理部１３に対して、コピー動作の開始を指示する（ステップＳ１０２）。これらの指示は、操作画面を用いて設定した、ＩＤカードコピー機能をオンにする旨、ごみ除去機能をオンにする旨、および除去濃度の設定値を“２２５”にする旨の設定情報（設定情報ＩＮＦ）を含んでいる。
【００４０】
次に、状態管理部１３は、パネル制御部１２に対して、読取中画面の表示を指示する（ステップＳ１０３）。この読取中画面は、画像処理装置１が読取動作を行っている旨をユーザに通知するためのものである。この指示に応じて、パネル制御部１２は、操作パネル１１に対して、この読取中画面の表示を指示する（ステップＳ１０４）。操作パネル１１は、この指示に基づいて、この読取中画面を表示する。
【００４１】
また、状態管理部１３は、ステップＳ１０２において受け取った設定情報ＩＮＦを、画像処理部１６に供給する（ステップＳ１０５）。これにより、画像処理部１６は、この設定情報ＩＮＦに含まれる、ＩＤカードコピー機能をオンにする旨、ごみ除去機能をオンにする旨、および除去濃度の設定値を“２２５”にする旨の情報に基づいて、後ほど行う画像処理の設定を行う。
【００４２】
次に、状態管理部１３は、読取制御部１５に対して、読取動作の開始を指示する（ステップＳ１０６）。読取制御部１５および画像読取部１４は、この指示に基づいて読取動作を行い、原稿画像Ｐ２（原稿画像Ｐ２１）についての情報を含む原稿画像データＤ２（原稿画像データＤ２１）を生成する（ステップＳ１０７）。具体的には、画像読取部１４は、図５Ａに示したように、コンタクトガラス２３のうちの左半分の領域Ｗにおいて読出動作を行うことにより、原稿画像データＤ２（原稿画像データＤ２１）を生成する。そして、読取制御部１５は、状態管理部１３に対して、読取動作の終了を通知する（ステップＳ１０８）。
【００４３】
次に、状態管理部１３は、パネル制御部１２に対して、指示画面の表示を指示する（ステップＳ１０９）。この指示画面は、ユーザに、ＩＤカードの裏面Ｒ２を下にしてＩＤカードをセットし、読取動作の開始を指示することを促すものである。また、この指示画面では、ユーザは、読取動作の終了を指示することもできるようになっている。この指示画面の表示指示に応じて、パネル制御部１２は、操作パネル１１に対して、この指示画面の表示を指示する（ステップＳ１１０）。操作パネル１１は、この指示に基づいて、この指示画面を表示する。
【００４４】
また、読取制御部１５は、ステップＳ１０７において読取動作を行うことにより生成した原稿画像データＤ２（原稿画像データＤ２１）を、画像処理部１６に供給する（ステップＳ１１１）。
【００４５】
次に、画像処理部１６は、記憶部１７に対して、メンテナンス画像データＤ１を要求する（ステップＳ１１２）。記憶部１７は、記憶しているメンテナンス画像データＤ１を画像処理部１６に供給する（ステップＳ１１３）。
【００４６】
そして、画像処理部１６は、ごみ除去機能がオンに設定されているので、メンテナンス画像データＤ１および原稿画像データＤ２（原稿画像データＤ２１）に基づいて、ごみ除去処理を行う（ステップＳ１１４）。すなわち、画像処理部１６は、原稿画像データＤ２が示す原稿画像Ｐ２が、ガイド部材２４，２５と媒体押さえ部材２２との間の隙間Ｇ（図３）に対応する黒い帯状の画像部分や、媒体押さえ部材２２のよごれに対応する画像部分を含む場合に、これらの意図しない画像部分を目立たなくするように、画像処理を行う。
【００４７】
図７は、ごみ除去処理の一動作例を表すものである。このごみ除去処理では、画像処理部１６は、原稿画像データＤ２において、原点の画素から順に、画素を順次選択し、選択された画素が処理対象である場合に、その画素における画素値を更新する。以下に、この動作について詳細に説明する。
【００４８】
まず、画像処理部１６は、メンテナンス画像データＤ１が示すメンテナンス画像Ｐ１の原点と、原稿画像データＤ２が示す原稿画像Ｐ２の原点とを合わせる（ステップＳ３０１）。
【００４９】
次に、画像処理部１６は、原稿画像データＤ２における、原稿画像Ｐ２の原点での画素を選択する（ステップＳ３０２）。
【００５０】
次に、画像処理部１６は、選択された画素が処理対象であるかどうかを確認する（ステップＳ３０３）。具体的には、画像処理部１６は、まず、画素値の最大値である“２５５”から、除去濃度の設定値（この例では“２２５”）を減算することにより、しきい値（この例では“３０”）を得る。そして、選択された画素における、赤色の画素値、緑色の画素値、および青色の画素値の全てがこのしきい値よりも小さいかどうかを確認する。赤色の画素値、緑色の画素値、および青色の画素値の全てがしきい値よりも小さい場合には、画像処理部１６は、選択された画素は処理対象である、と判断する。すなわち、このように赤色の画素値、緑色の画素値、および青色の画素値の全てがしきい値よりも小さい場合には、その画素での色は黒色度合いが高いので、画像処理部１６は、選択された画素は処理対象である、と判断する。また、赤色の画素値、緑色の画素値、および青色の画素値のうちの少なくとも１つ以上が、このしきい値よりも大きい場合には、画像処理部１６は、選択された画素は処理対象ではない、と判断する。選択された画素が処理対象ではない場合（ステップＳ３０３において“Ｎ”）には、ステップＳ３０５に進む。
【００５１】
ステップＳ３０３において、選択された画素が処理対象である場合（ステップＳ３０３において“Ｙ”）には、画像処理部１６は、原稿画像データＤ２における選択された画素での画素値、およびメンテナンス画像データＤ１における選択された画素での画素値に基づいて、原稿画像データＤ２における選択された画素での画素値を更新する（ステップＳ３０４）。具体的には、画像処理部１６は、原稿画像データＤ２における赤色の画素値、およびメンテナンス画像データＤ１における赤色の画素値に基づいて、原稿画像データＤ２における赤色の画素値を更新し、原稿画像データＤ２における緑色の画素値、およびメンテナンス画像データＤ１における緑色の画素値に基づいて、原稿画像データＤ２における緑色の画素値を更新し、原稿画像データ２における青色の画素値、およびメンテナンス画像データＤ１における青色の画素値に基づいて、原稿画像データＤ２における青色の画素値を更新する。
【００５２】
図８は、画素値の更新処理を表すものである。以下、一例として、赤色の画素値を更新する処理について説明する。なお、緑色の画素値を更新する処理についても同様であり、青色の画素値を更新する処理についても同様である。Ｂ１［７］〜Ｂ１［０］は、メンテナンス画像データＤ１における、２５６階調（８ビット）の赤色の画素値の各ビットを示す。Ｂ２［７］〜Ｂ１［０］は、原稿画像データＤ２における、２５６階調（８ビット）の赤色の画素値の各ビットを示す。Ｂ３［７］〜Ｂ３［０］は、更新された原稿画像データＤ２における、２５６階調（８ビット）の赤色の画素値の各ビットを示す。ビットＢ１［７］，Ｂ２［７］，Ｂ３［７］はＭＳＢ（Most Significant Bit）であり、ビットＢ１［０］，Ｂ２［０］，Ｂ３［０］はＬＳＢ（Least Significant Bit）である。
【００５３】
画像処理部１６は、否定排他的論理和（ＥＸ−ＮＯＲ）を用いて、原稿画像データＤ２における赤色の画素値の各ビットを更新する。具体的には、画像処理部１６は、メンテナンス画像データＤ１のビットＢ１［７］と原稿画像データＤ２のビットＢ２［７］の否定排他的論理和を求め、求めた結果を、更新された原稿画像データＤ２のビットＢ３［７］とする。また、画像処理部１６は、メンテナンス画像データＤ１のビットＢ１［６］と原稿画像データＤ２のビットＢ２［６］の否定排他的論理和を求め、求めた結果を、更新された原稿画像データＤ２のビットＢ３［６］とする。他のビットについても同様である。
【００５４】
このようにして、画像処理部１６は、メンテナンス画像データＤ１における赤色の画素値のビットＢ１［７］〜Ｂ１［０］、および原稿画像データＤ２における赤色の画素値のビットＢ２［７］〜Ｂ２［０］に基づいて、互いに対応するビットの否定排他的論理和をそれぞれ求めることにより、原稿画像データＤ２における赤色の画素値の各ビットを更新する。同様に、画像処理部１６は、メンテナンス画像データＤ１における緑色の画素値のビットＢ１［７］〜Ｂ１［０］、および原稿画像データＤ２における緑色の画素値のビットＢ２［７］〜Ｂ２［０］に基づいて、互いに対応するビットの否定排他的論理和をそれぞれ求めることにより、原稿画像データＤ２における緑色の画素値の各ビットを更新し、メンテナンス画像データＤ１における青色の画素値のビットＢ１［７］〜Ｂ１［０］、および原稿画像データＤ２における青色の画素値のビットＢ２［７］〜Ｂ２［０］に基づいて、互いに対応するビットの否定排他的論理和をそれぞれ求めることにより、原稿画像データＤ２における青色の画素値の各ビットを更新する。
【００５５】
例えば、原稿画像データＤ２が示す原稿画像Ｐ２が、ガイド部材２４，２５と媒体押さえ部材２２との間の隙間Ｇ（図３）に対応する黒い帯状の画像部分を含む場合には、メンテナンス画像データＤ１が示すメンテナンス画像Ｐ１は、同様の黒い帯状の画像部分を含む。この帯状の画像部分に属する画素が選択された場合には、メンテナンス画像データＤ１における赤色の画素値、緑色の画素値、および青色の画素値は、それぞれ、例えば“０”，“０”，“０”であり、原稿画像データＤ２における赤色の画素値、緑色の画素値、および青色の画素値は、それぞれ、例えば“０”，“０”，“０”である。よって、画像処理部１６は、これらの画素値に基づいて、上述したように否定排他的論理和を求めることにより、赤色の画素値、緑色の画素値、および青色の画素値を更新する。この例では、メンテナンス画像データＤ１における赤色の画素値のビットＢ１［７］〜Ｂ１［０］は“００００００００”であり、原稿画像データＤ２における赤色の画素値のビットＢ２［７］〜Ｂ２［０］は“００００００００”であるので、更新された原稿画像データＤ２における赤色の画素値のビットＢ３［７］〜Ｂ３［０］は“１１１１１１１１”である。緑色の画素値、および青色の画素値についても同様である。その結果、更新された赤色の画素値、更新された緑色の画素値、および更新された青色の画素値は、この例では、“２５５”，“２５５”，“２５５”になる。すなわち、この選択された画素での色は、白色に更新される。このようにして、原稿画像データＤ２における選択された画素での色を黒色から白色に変更することにより、黒い帯状の画像部分が、画素単位で順次除去される。
【００５６】
なお、この例では、黒い帯状の画像部分において、メンテナンス画像データＤ１における各色の画素値を“０”にしたが、“０”以外の低い値である場合もあり得る。同様に、この例では、黒い帯状の画像部分において、原稿画像データＤ２における各色の画素値を“０”にしたが、“０”以外の低い値である場合もあり得る。このような場合には、更新された各色の画素値は、“２５５”以外の値になりえる。しかしながら、この場合でも、原稿画像データＤ２における選択された画素での色を、黒色から、より薄い色に変更することができるので、黒い帯状の画像部分を目立たなくすることができる。
【００５７】
次に、画像処理部１６は、原稿画像データＤ２における全ての画素が選択されたかどうかを確認する（ステップＳ３０５）。全ての画素が選択されていない場合（ステップＳ３０５において“Ｎ”）には、画像処理部１６は、原稿画像データＤ２における、まだ選択されていない画素を選択し（ステップＳ３０６）、ステップＳ３０３に戻る。そして、原稿画像データＤ２における全ての画素が選択されるまで、このステップＳ３０３〜Ｓ３０６の動作を繰り返す。
【００５８】
ステップＳ３０５において、原稿画像データＤ２における全ての画素が選択された場合（ステップＳ３０５において“Ｙ”）には、このフローは終了する。
【００５９】
このようにして、画像処理部１６は、メンテナンス画像データＤ１および原稿画像データＤ２に基づいて、原稿画像データＤ２が示す原稿画像Ｐ２における意図しない画像部分を目立たなくし、原稿画像データＤ２を更新する。
【００６０】
図９は、画像処理部１６の一動作例を表すものであり、（Ａ）は読取制御部１５から供給された原稿画像データＤ２が示す原稿画像Ｐ２の一例を示し、（Ｂ）は記憶部１７に記憶されたメンテナンス画像データＤ１が示すメンテナンス画像Ｐ１の一例を示し、（Ｃ）は更新された原稿画像データＤ２が示す原稿画像Ｐ２の一例を示す。
【００６１】
読取制御部１５から供給された原稿画像データＤ２が示す原稿画像Ｐ２は、図９（Ａ）に示したように、ＩＤカードの表面Ｒ１の画像に加え、ガイド部材２４，２５と媒体押さえ部材２２との間の隙間Ｇ（図３）に対応する黒い帯状の画像部分Ｗ１０１、および媒体押さえ部材２２のよごれに対応する画像部分Ｗ１０２を含んでいる。なお、画像読取部１４は、図５Ａに示したように、コンタクトガラス２３のうちの左半分の領域Ｗにおいて読出動作を行うことにより原稿画像データＤ２を生成するため、原稿画像Ｐ２の大きさは、コンタクトガラス２３の約半分の大きさに対応している。
【００６２】
メンテナンス画像データＤ１が示すメンテナンス画像Ｐ１は、図９（Ｂ）に示したように、ガイド部材２４，２５と媒体押さえ部材２２との間の隙間Ｇに対応する黒い帯状の画像部分Ｗ１０１、および媒体押さえ部材２２のよごれに対応する画像部分Ｗ１０２を含んでいる。なお、画像読取部１４は、コンタクトガラス２３の全領域において読出動作を行うことによりメンテナンス画像データＤ１を生成するため、メンテナンス画像Ｐ１の大きさは、コンタクトガラス２３の大きさに対応している。
【００６３】
画像処理部１６は、原稿画像データＤ２およびメンテナンス画像データＤ１に基づいて、ごみ除去処理を行い、原稿画像データＤ２を更新する。これにより、更新された原稿画像データＤ２が示す原稿画像Ｐ２では、図９（Ｃ）に示したように、この例では、画像部分Ｗ１０１および画像部分Ｗ１０２が除去される。
【００６４】
次に、図６Ａに示したように、画像処理部１６は、画像配置処理を行う（ステップＳ１１５）。具体的には、画像処理部１６は、更新された原稿画像データＤ２（原稿画像データＤ２１）に基づいて、ＣＭＹ画像データである画像データＤ３１を生成し、この画像データＤ３１が示す画像を、２アップ印刷における１番目の画像の位置に配置することにより印刷画像データＤＡＴＡを生成する。
【００６５】
ユーザは、指示画面が表示された操作パネル１１を操作し、この例では、読取動作の終了を指示する。すなわち、この例では、ユーザは、ＩＤカードの表面Ｒ１のみを印刷したいので、読取動作の終了を指示する。操作パネル１１は、このユーザの操作を受け付け、パネル制御部１２に対して、処理の終了を指示する（ステップＳ１１６）。この指示に応じて、パネル制御部１２は、状態管理部１３に対して、処理の終了を指示する（ステップＳ１１７）。
【００６６】
次に、状態管理部１３は、パネル制御部１２に対して、印刷中画面の表示を指示する（ステップＳ１１８）。この印刷中画面は、画像処理装置１が印刷動作を行っている旨をユーザに通知するものである。この指示に応じて、パネル制御部１２は、操作パネル１１に対して、この印刷中画面の表示を指示する（ステップＳ１１９）。操作パネル１１は、この指示に基づいて、この印刷中画面を表示する。
【００６７】
次に、状態管理部１３は、読取制御部１５に対して、読取動作の完了を通知する（ステップＳ１２０）。そして、状態管理部１３は、画像処理部１６に対して、画像形成動作の開始を指示する（ステップＳ１２１）。この指示に応じて、画像処理部１６は、画像形成部１８に対して、ステップＳ１１５において生成した印刷画像データＤＡＴＡを供給するとともに、画像形成動作の開始を指示する（ステップＳ１２２）。画像形成部１８は、この指示に基づいて、画像形成動作を行い、印刷画像データＤＡＴＡに基づいて、記録媒体Ｐに画像を形成する（ステップＳ１２３）。そして、画像形成部１８は、状態管理部１３に対して、画像形成動作の終了を通知する（ステップＳ１２４）。
【００６８】
次に、状態管理部１３は、パネル制御部１２に対して、待機画面の表示を指示する（ステップＳ１２５）。この待機画面は、例えば、ユーザが実行したいジョブを選択するためのものである。この指示に応じて、パネル制御部１２は、操作パネル１１に対して、この待機画面の表示を指示する（ステップＳ１２６）。操作パネル１１は、この指示に基づいて、この待機画面を表示する。
【００６９】
以上で、このシーケンスは終了する。
【００７０】
（ケースＣ２）
図１０Ａ〜１０Ｃは、ＩＤカードの表面Ｒ１および裏面Ｒ２を印刷する場合（ケースＣ２）における、画像処理装置１の一動作例を表すものである。
【００７１】
ステップＳ１０１〜ステップＳ１１５までの動作は、ケースＣ１の場合と同様である。すなわち、この動作では、画像読取部１４が、ＩＤカードの表面Ｒ１に係る原稿画像データＤ２（原稿画像データＤ２１）を生成し、画像処理部１６が、この原稿画像データＤ２およびメンテナンス画像データＤ１に基づいてごみ除去処理を行い、原稿画像データＤ２（原稿画像データＤ２１）を更新する。そして、画像処理部１６は、更新された原稿画像データＤ２（原稿画像データＤ２１）に基づいて、ＣＭＹ画像データである画像データＤ３１を生成し、この画像データＤ３１が示す画像を、２アップ印刷における１番目の画像の位置に配置することにより印刷画像データＤＡＴＡを生成する。
【００７２】
次に、ユーザは、操作パネル１１に表示された指示画面に従い、ＩＤカードの裏面Ｒ２を下にして、図５Ａに示したように、コンタクトガラス２３の左上にＩＤカードをセットする。そして、ユーザは、スタートボタン１１Ｂを操作する。操作パネル１１は、このユーザの操作を受け付け、パネル制御部１２に対して、読取動作の開始を指示する（ステップＳ１３１）。この指示に応じて、パネル制御部１２は、状態管理部１３に対して、読取動作の開始を指示する（ステップＳ１３２）。
【００７３】
次に、状態管理部１３は、パネル制御部１２に対して、画像処理装置１が読取動作を行っている旨をユーザに通知する読取中画面の表示を指示する（ステップＳ１３３）。この指示に応じて、パネル制御部１２は、操作パネル１１に対して、この読取中画面の表示を指示する（ステップＳ１３４）。操作パネル１１は、この指示に基づいて、この読取中画面を表示する。
【００７４】
次に、状態管理部１３は、読取制御部１５に対して、読取動作の開始を指示する（ステップＳ１３５）。読取制御部１５および画像読取部１４は、この指示に基づいて読取動作を行い、原稿画像Ｐ２（原稿画像Ｐ２２）についての情報を含む原稿画像データＤ２（原稿画像データＤ２２）を生成する（ステップＳ１３６）。具体的には、画像読取部１４は、図５Ａに示したように、コンタクトガラス２３のうちの左半分の領域Ｗにおいて読出動作を行うことにより、原稿画像データＤ２（原稿画像データＤ２２）を生成する。そして、読取制御部１５は、状態管理部１３に対して、読取動作の終了を通知する（ステップＳ１３７）。
【００７５】
次に、読取制御部１５は、ステップＳ１３６において読取動作を行うことにより生成した原稿画像データＤ２（原稿画像データＤ２２）を、画像処理部１６に供給する（ステップＳ１３８）。
【００７６】
次に、画像処理部１６は、メンテナンス画像データＤ１および原稿画像データＤ２（原稿画像データＤ２２）に基づいて、ステップＳ１１４と同様に、ごみ除去処理を行う（ステップＳ１３９）。具体的には、画像処理部１６は、メンテナンス画像データＤ１および原稿画像データＤ２（原稿画像データＤ２２）に基づいて、原稿画像データＤ２が示す原稿画像Ｐ２における意図しない画像部分を目立たなくし、原稿画像データＤ２（原稿画像データＤ２２）を更新する。
【００７７】
次に、画像処理部１６は、画像配置処理を行う（ステップＳ１４０）。具体的には、画像処理部１６は、更新された原稿画像データＤ２（原稿画像データＤ２２）に基づいて、ＣＭＹ画像データである画像データＤ３２を生成し、この画像データＤ３２が示す画像を、２アップ印刷における２番目の画像の位置に配置することにより、ステップＳ１１５において生成した印刷画像データＤＡＴＡを更新する。
【００７８】
次に、状態管理部１３は、パネル制御部１２に対して、画像処理装置１が印刷動作を行っている旨をユーザに通知する印刷中画面の表示を指示する（ステップＳ１４１）。この指示に応じて、パネル制御部１２は、操作パネル１１に対して、この印刷中画面の表示を指示する（ステップＳ１４２）。操作パネル１１は、この指示に基づいて、この印刷中画面を表示する。
【００７９】
次に、状態管理部１３は、読取制御部１５に対して、読取動作の完了を通知する（ステップＳ１４３）。そして、状態管理部１３は、画像処理部１６に対して、画像形成動作の開始を指示する（ステップＳ１４４）。この指示に応じて、画像処理部１６は、画像形成部１８に対して、ステップＳ１４０において更新した印刷画像データＤＡＴＡを供給するとともに、画像形成動作の開始を指示する（ステップＳ１４５）。画像形成部１８は、この指示に基づいて、画像形成動作を行い、印刷画像データＤＡＴＡに基づいて、記録媒体Ｐに画像を形成する（ステップＳ１４６）。そして、画像形成部１８は、状態管理部１３に対して、画像形成動作の終了を通知する（ステップＳ１４７）。
【００８０】
次に、状態管理部１３は、パネル制御部１２に対して、いわゆる待機画面の表示を指示する（ステップＳ１４８）。この指示に応じて、パネル制御部１２は、操作パネル１１に対して、この待機画面の表示を指示する（ステップＳ１４９）。操作パネル１１は、この指示に基づいて、この待機画面を表示する。
【００８１】
以上で、このシーケンスは終了する。
【００８２】
（メンテナンススキャンについて）
図１１は、メンテナンススキャンにおける、画像処理装置１の一動作例を表すものである。ＡＤＦ部１４Ａおよびコンタクトガラス２３上に原稿媒体Ｒをセットしない状態で、例えば画像処理装置１の管理者が、操作パネル１１を操作して、メンテナンススキャンの開始を指示すると、操作パネル１１は、このユーザの操作を受け付け、パネル制御部１２に対して、メンテナンススキャンの開始を指示する（ステップＳ５０１）。この指示に応じて、パネル制御部１２は、状態管理部１３に対して、メンテナンススキャンの開始を指示する（ステップＳ５０２）。これらの指示は、メンテナンススキャンを行う旨の設定情報（設定情報ＩＮＦ）を含んでいる。
【００８３】
次に、状態管理部１３は、パネル制御部１２に対して、メンテナンススキャン中画面の表示を指示する（ステップＳ５０３）。このメンテナンススキャン中画面は、画像処理装置１がメンテナンススキャンを行っている旨をユーザに通知するためのものである。この指示に応じて、パネル制御部１２は、操作パネル１１に対して、このメンテナンススキャン中画面の表示を指示する（ステップＳ５０４）。操作パネル１１は、この指示に基づいて、このメンテナンススキャン中画面を表示する。
【００８４】
また、状態管理部１３は、ステップＳ５０２において受け取った設定情報ＩＮＦを、画像処理部１６に供給する（ステップＳ５０５）。
【００８５】
次に、状態管理部１３は、読取制御部１５に対して、読取動作の開始を指示する（ステップＳ５０６）。読取制御部１５および画像読取部１４は、この指示に基づいて読取動作を行い、メンテナンス画像Ｐ１についての情報を含むメンテナンス画像データＤ１を生成する（ステップＳ５０７）。具体的には、画像読取部１４は、コンタクトガラス２３の全領域において読出動作を行うことにより、メンテナンス画像データＤ１を生成する。そして、読取制御部１５は、状態管理部１３に対して、読取動作の終了を通知する（ステップＳ５０８）。
【００８６】
次に、状態管理部１３は、パネル制御部１２に対して、待機画面の表示を指示する（ステップＳ５０９）。この指示に応じて、パネル制御部１２は、操作パネル１１に対して、この待機画面の表示を指示する（ステップＳ５１０）。操作パネル１１は、この指示に基づいて、この待機画面を表示する。
【００８７】
また、読取制御部１５は、ステップＳ５０７において読取動作を行うことにより生成したメンテナンス画像データＤ１を、画像処理部１６に供給する（ステップＳ５１１）。
【００８８】
そして、画像処理部１６は、記憶部１７に、メンテナンス画像データＤ１を供給する（ステップＳ５１２）。記憶部１７は、このメンテナンス画像データＤ１を記憶する。
【００８９】
以上で、このシーケンスは終了する。
【００９０】
以上のように、画像処理装置１では、原稿画像データＤ２およびメンテナンス画像データＤ１に基づいて、原稿画像データＤ２に含まれる意図しない画像部分を目立たなくするようにしたので、原稿媒体から読み取られた画像の画質を高めることができる。
【００９１】
また、画像処理装置１では、否定排他的論理和（ＥＸ−ＮＯＲ）を用いて、原稿画像データＤ２における画素値の各ビットを更新するようにした。具体的には、画像処理装置１では、処理対象である画素において、メンテナンス画像データＤ１のビットおよび原稿画像データＤ２の対応するビットの否定排他的論理和を求め、求めた結果を、原稿画像データＤ２の対応するビットとした。これにより、画像処理装置１では、画像処理部１６における画像処理をシンプルにすることができる。すなわち、例えば、メンテナンス画像データＤ１に基づいて意図しない画像部分を検出し、原稿画像データＤ２において、この画像部分に対応する部分の画像を、周囲の画像に基づいて補完することにより生成する場合には、画像処理が複雑になるおそれがある。一方、本実施の形態に係る画像処理装置１では、否定排他的論理和を用いて、原稿画像データＤ２における画素値の各ビットを更新するようにしたので、画像処理部１６における画像処理をシンプルにすることができる。
【００９２】
また、画像処理装置１では、選択された画素における黒色度合いが、所定の黒色度合いよりも高い場合に、その選択された画素を処理対象にした。具体的には、選択された画素における、赤色の画素値、緑色の画素値、および青色の画素値の全てがしきい値よりも小さい場合に、その選択された画素を処理対象にした。これにより、赤色の画素値、緑色の画素値、および青色の画素値のうちの少なくとも１つ以上が、このしきい値よりも大きい場合には、選択された画素は処理対象ではないので、これらの画素値は更新されない。その結果、画像処理装置１では、これらの画素では、画素値が維持されるので、原稿媒体から読み取られた画像の画質が低下するおそれを低減することができる。
【００９３】
［効果］
以上のように本実施の形態では、原稿画像データおよびメンテナンス画像データに基づいて、原稿画像データに含まれる意図しない画像部分を目立たなくしたので、原稿媒体から読み取られた画像の画質を高めることができる。
【００９４】
本実施の形態では、否定排他的論理和（ＥＸ−ＮＯＲ）を用いて、原稿画像データにおける画素値の各ビットを更新するようにしたので、画像処理をシンプルにすることができる。
【００９５】
本実施の形態では、選択された画素における黒色度合いが、所定の黒色度合いよりも高い場合に、その選択された画素を処理対象にしたので、原稿媒体から読み取られた画像の画質が低下するおそれを低減することができる。
【００９６】
［変形例１］
上記実施の形態では、図７に示したように、選択された画素が処理対象である場合に、原稿画像データＤ２における画素値、およびメンテナンス画像データＤ１における画素値に基づいて、原稿画像データＤ２における画素値を更新したが、これに限定されるものではない。これに代えて、例えば、図１２に示したように、全ての画素を処理対象にしてもよい。
【００９７】
［変形例２］
上記実施の形態では、画像処理装置１の管理者がメンテナンススキャンを実行したが、これに限定されるものではない。これに代えて、例えば、画像処理装置１が、自動的にメンテナンススキャンを実行してもよい。具体的には、画像処理装置１は、例えば、画像処理装置１の電源が投入されたときに、メンテナンススキャンを行ってもよい。また、画像処理装置１は、例えば、画像読取部１４がフラットベッドスキャナとして動作した後、ユーザが画像読取部１４から原稿媒体Ｒを取り除き、蓋部２１を閉じたタイミングで、メンテナンススキャンを行ってもよい。すなわち、画像処理装置１は、コンタクトガラス２３上に原稿媒体Ｒがセットされていない期間において、様々なタイミングでメンテナンススキャンを行うことができる。
【００９８】
［変形例３］
上記実施の形態では、図８に示したように、８ビットの全てについて否定排他的論理和を求めたが、これに限定されるものではない。これに代えて、一部のビットについては、否定排他的論理和を求めず、原稿画像データＤ２におけるビットをそのまま更新後の原稿画像データＤ２におけるビットにしてもよい。具体的には、例えば、原稿画像データＤ２におけるＬＳＢのビットを、そのまま、更新後の原稿画像データＤ２におけるＬＳＢのビットにしてもよい。すなわち、ＬＳＢのビットを更新しなくてもよい。
【００９９】
［変形例４］
上記実施の形態では、画像処理部１６は、更新した原稿画像データＤ２に基づいて、印刷画像データＤＡＴＡを生成し、画像形成部１８は、この印刷画像データＤＡＴＡに基づいて、記録媒体Ｐに画像を形成したが、これに限定されるものではない。これに代えて、画像処理部は、更新した原稿画像データＤ２に基づいて、例えば図５Ｂに示した画像データを含む電子ファイルを生成してもよい。図１３は、本変形例に係る画像処理装置１Ｄの一構成例を表すものである。画像処理装置１Ｄは、画像処理部１６Ｄと、通信部１９Ｄとを有している。画像処理部１６Ｄは、更新した原稿画像データＤ２に基づいて、電子ファイルを生成する機能を有している。電子ファイルは、例えば、ＪＰＥＧ（Joint Photographic Experts Group）などの画像フォーマットを有する電子ファイルであってもよいし、ＰＤＦ（Portable Document Format）ファイルであってもよい。通信部１９Ｄは、例えばＵＳＢ（Universal Serial Bus）やＬＡＮ（Local Area Network）を用いて通信を行うものであり、例えば、図示しないコンピュータとの間でデータのやり取りを行うものである。ここで、画像処理部１６Ｄは、本発明における「画像処理部」および「生成部」の一具体例に対応する。図示しないコンピュータは、通信部１９Ｄと通信を行うことにより、画像処理部１６Ｄが生成した電子ファイルを取得することができる。
【０１００】
［変形例５］
上記実施の形態では、ＲＧＢ画像データであるメンテナンス画像データＤ１、およびＲＧＢ画像データである原稿画像データＤ２に基づいて、原稿画像データＤ２を更新したが、これに限定されるものではない。これに代えて、例えば、ＣＭＹ画像データであるメンテナンス画像データ、およびＣＭＹ画像データである原稿画像データに基づいて、原稿画像データを更新してもよい。
【０１０１】
［その他の変形例］
また、これらの変形例のうちの２以上を組み合わせてもよい。
【０１０２】
以上、実施の形態およびいくつかの変形例を挙げて本技術を説明したが、本技術はこれらの実施の形態等には限定されず、種々の変形が可能である。
【０１０３】
例えば、上記の実施の形態などでは、ＩＤカードコピー機能を例に本技術を説明したが、これに限定されるものではなく、本技術は、原稿媒体Ｒから画像を読み取る様々な用途に適用することができる。本技術は、特に、小さい原稿媒体Ｒから画像を読み取る用途に適用すると、効果的である。
【符号の説明】
【０１０４】
１，１Ｄ…画像処理装置、１１…操作パネル、１１Ａ…テンキーボタン、１１Ｂ…スタートボタン、１１Ｃ…表示操作部、１２…パネル制御部、１３…状態管理部、１４…画像読取部、１４Ａ…ＡＤＦ部、１４Ｂ…スキャナ部、１５…読取制御部、１６，１６Ｄ…画像処理部、１７…記憶部、１８…画像形成部、１９Ｄ…通信部、２１…蓋部、２２…媒体押さえ部材、２３…コンタクトガラス、２４，２５…ガイド部材、２６…読取部、Ｂ１［７］〜Ｂ１［０］，Ｂ２［７］〜Ｂ２［０］，Ｂ３［７］〜Ｂ３［０］…ビット、Ｄ１…メンテナンス画像データ、Ｄ２，Ｄ２１，Ｄ２２…原稿画像データ、Ｄ３１，Ｄ３２…画像データ、ＤＡＴＡ…印刷画像データ、Ｇ…隙間、ＩＮＦ…設定情報、Ｐ…記録媒体、Ｐ１…メンテナンス画像、Ｐ２，Ｐ２１，Ｐ２２…原稿画像、Ｒ…原稿媒体、Ｒ１…表面、Ｒ２…裏面。
【図１】
2019080284.tif 000003
【図２】
2019080284.tif 000004
【図３】
2019080284.tif 000005
【図４】
2019080284.tif 000006
【図５Ａ】
2019080284.tif 000007
【図５Ｂ】
2019080284.tif 000008
【図６Ａ】
2019080284.tif 000009
【図６Ｂ】
2019080284.tif 000010
【図７】
2019080284.tif 000011
【図８】
2019080284.tif 000012
【図９】
2019080284.tif 000013
【図１０Ａ】
2019080284.tif 000014
【図１０Ｂ】
2019080284.tif 000015
【図１０Ｃ】
2019080284.tif 000016
【図１１】
2019080284.tif 000017
【図１２】
2019080284.tif 000018
【図１３】
2019080284.tif 000019